【手続補正書】
【提出日】平成17年3月8日(2005.3.8)
【手続補正１】
【補正対象書類名】明細書
【補正対象項目名】発明の名称
【補正方法】変更
【補正の内容】
【発明の名称】基地局装置、移動局装置、および通信方法
【手続補正２】
【補正対象書類名】明細書
【補正対象項目名】特許請求の範囲
【補正方法】変更
【補正の内容】
【特許請求の範囲】
【請求項１】
上り回線および下り回線がそれぞれ割り当てられた複数のタイムスロットからなる通信フレームを用いるＣＤＭＡ／ＴＤＤ移動体通信システムにおける基地局装置であって、
前記複数のタイムスロットのうちあらかじめ定められたパターンで周期的に配置される固定位置のタイムスロットに、同期用制御チャネルを含む下り回線の共通制御チャネルを割り当てる割当手段と、
前記固定位置のタイムスロット以外のタイムスロットに、上下回線の総情報量の比に応じて上り回線のユーザ情報チャネルおよび下り回線のユーザ情報チャネルを割り当てる制御手段と、
を有することを特徴とする基地局装置。
【請求項２】
前記割当手段は、
１タイムスロットおきに共通制御チャネルを割り当てることを特徴とする請求項１記載の基地局装置。
【請求項３】
上り回線および下り回線がそれぞれ割り当てられた複数のタイムスロットからなる通信フレームを用いるＣＤＭＡ／ＴＤＤ移動体通信システムにおける移動局装置であって、
あらかじめ定められたパターンで周期的に配置される固定下り回線タイムスロットの同期用制御チャネル信号を含む信号を受信する受信手段と、
受信信号のサンプリングタイミングごとに前記同期用制御チャネル信号の相関検出を行う相関検出手段と、
前記固定下り回線タイムスロットが配置される間隔の時間長を積分周期として前記サンプリングタイミングごとの相関検出結果を積分する積分手段と、
前記積分周期において、前記相関検出結果の積分値が最も大きいサンプリングタイミングに前記同期用制御チャネル信号が含まれていると判定して同期を確立する同期手段と、
を有することを特徴とする移動局装置。
【請求項４】
上り回線および下り回線がそれぞれ割り当てられた複数のタイムスロットからなる通信フレームを用いるＣＤＭＡ／ＴＤＤ移動体通信システムにおける移動局装置であって、
あらかじめ定められたパターンで周期的に配置される固定下り回線タイムスロットの同期用制御チャネル信号を含む信号を受信する受信手段と、
前記同期用制御チャネル信号を用いて受信品質を測定する測定手段と、
測定された受信品質に応じて上り回線スロットの送信電力制御を行う制御手段と、
を有することを特徴とする移動局装置。
【請求項５】
前記制御手段は、
前記固定下り回線タイムスロットと前記上り回線スロットとの間隔に応じて前記固定下り回線タイムスロットの同期用制御チャネル信号の受信品質に重み付けを行い、重み付け後の受信品質に応じて前記上り回線スロットの送信電力制御を行うことを特徴とする請求項４記載の移動局装置。
【請求項６】
前記測定手段は、
前記同期用制御チャネル信号と自装置に対して割り当てられた下り回線タイムスロットのユーザ情報チャネル信号とを用いて受信品質を測定することを特徴とする請求項４記載の移動局装置。
【請求項７】
前記測定手段は、
前記同期用制御チャネル信号と自装置に対して割り当てられた下り回線タイムスロットのユーザ情報チャネル信号とを切り替え、いずれか一方の信号を用いて受信品質を測定することする請求項４記載の移動局装置。
【請求項８】
基地局装置および移動局装置が上り回線および下り回線がそれぞれ割り当てられた複数のタイムスロットからなる通信フレームを用いるＣＤＭＡ／ＴＤＤ移動体通信システムであって、
前記基地局装置は、
前記複数のタイムスロットのうちあらかじめ定められたパターンで周期的に配置される固定位置のタイムスロットに、同期用制御チャネルを含む下り回線の共通制御チャネルを割り当てる割当手段と、
前記固定位置のタイムスロット以外のタイムスロットに、上下回線の総情報量の比に応じて上り回線のユーザ情報チャネルおよび下り回線のユーザ情報チャネルを割り当てる制御手段と、を有し、
前記移動局装置は、
前記同期用制御チャネルの信号を含む信号を受信する受信手段と、
受信信号のサンプリングタイミングごとに前記同期用制御チャネルの信号の相関検出を行う相関検出手段と、
前記固定位置のタイムスロットが配置される間隔の時間長を積分周期として前記サンプリングタイミングごとの相関検出結果を積分する積分手段と、
前記積分周期において、前記相関検出結果の積分値が最も大きいサンプリングタイミングに前記同期用制御チャネルの信号が含まれていると判定して同期を確立する同期手段と、を有することを特徴とするＣＤＭＡ／ＴＤＤ移動体通信システム。
【請求項９】
上り回線および下り回線がそれぞれ割り当てられた複数のタイムスロットからなる通信フレームを用いるＣＤＭＡ／ＴＤＤ移動体通信システムにおける通信方法であって、
前記複数のタイムスロットのうちあらかじめ定められたパターンで周期的に配置される固定位置のタイムスロットに、同期用制御チャネルを含む下り回線の共通制御チャネルを割り当てるステップと、
前記固定位置のタイムスロット以外のタイムスロットに、上下回線の総情報量の比に応じて上り回線のユーザ情報チャネルおよび下り回線のユーザ情報チャネルを割り当てるステップと、
を有することを特徴とする通信方法。
【請求項１０】
上り回線および下り回線がそれぞれ割り当てられた複数のタイムスロットからなる通信フレームを用いるＣＤＭＡ／ＴＤＤ移動体通信システムにおける通信方法であって、
あらかじめ定められたパターンで周期的に配置される固定下り回線タイムスロットの同期用制御チャネル信号を含む信号を受信するステップと、
受信信号のサンプリングタイミングごとに前記同期用制御チャネル信号の相関検出を行うステップと、
前記固定下り回線タイムスロットが配置される間隔の時間長を積分周期として前記サンプリングタイミングごとの相関検出結果を積分するステップと、
前記積分周期において、前記相関検出結果の積分値が最も大きいサンプリングタイミングに前記同期用制御チャネル信号が含まれていると判定して同期を確立するステップと、
を有することを特徴とする通信方法。
【請求項１１】
上り回線および下り回線がそれぞれ割り当てられた複数のタイムスロットからなる通信フレームを用いるＣＤＭＡ／ＴＤＤ移動体通信システムにおける通信方法であって、
あらかじめ定められたパターンで周期的に配置される固定下り回線タイムスロットの同期用制御チャネル信号を含む信号を受信するステップと、
前記同期用制御チャネル信号を用いて受信品質を測定するステップと、
測定された受信品質に応じて上り回線スロットの送信電力制御を行うステップと、
を有することを特徴とする通信方法。
【手続補正３】
【補正対象書類名】明細書
【補正対象項目名】００１６
【補正方法】削除
【補正の内容】
【手続補正４】
【補正対象書類名】明細書
【補正対象項目名】００１７
【補正方法】削除
【補正の内容】
【手続補正５】
【補正対象書類名】明細書
【補正対象項目名】００１８
【補正方法】削除
【補正の内容】
【手続補正６】
【補正対象書類名】明細書
【補正対象項目名】００１９
【補正方法】削除
【補正の内容】
【手続補正７】
【補正対象書類名】明細書
【補正対象項目名】００２０
【補正方法】削除
【補正の内容】
【手続補正８】
【補正対象書類名】明細書
【補正対象項目名】００２１
【補正方法】削除
【補正の内容】
【手続補正９】
【補正対象書類名】明細書
【補正対象項目名】００２２
【補正方法】削除
【補正の内容】
【手続補正１０】
【補正対象書類名】明細書
【補正対象項目名】００２３
【補正方法】削除
【補正の内容】
【手続補正１１】
【補正対象書類名】明細書
【補正対象項目名】００２４
【補正方法】削除
【補正の内容】
【手続補正１２】
【補正対象書類名】明細書
【補正対象項目名】００２５
【補正方法】削除
【補正の内容】
【手続補正１３】
【補正対象書類名】明細書
【補正対象項目名】００２６
【補正方法】削除
【補正の内容】
【手続補正１４】
【補正対象書類名】明細書
【補正対象項目名】００２７
【補正方法】削除
【補正の内容】
【手続補正１５】
【補正対象書類名】明細書
【補正対象項目名】００２８
【補正方法】削除
【補正の内容】
【手続補正１６】
【補正対象書類名】明細書
【補正対象項目名】００２９
【補正方法】削除
【補正の内容】
【手続補正１７】
【補正対象書類名】明細書
【補正対象項目名】００３０
【補正方法】変更
【補正の内容】
【００３０】
請求項１記載の基地局装置は、上り回線および下り回線がそれぞれ割り当てられた複数のタイムスロットからなる通信フレームを用いるＣＤＭＡ／ＴＤＤ移動体通信システムにおける基地局装置であって、前記複数のタイムスロットのうちあらかじめ定められたパターンで周期的に配置される固定位置のタイムスロットに、同期用制御チャネルを含む下り回線の共通制御チャネルを割り当てる割当手段と、前記固定位置のタイムスロット以外のタイムスロットに、上下回線の総情報量の比に応じて上り回線のユーザ情報チャネルおよび下り回線のユーザ情報チャネルを割り当てる制御手段と、を有する構成とした。
【手続補正１８】
【補正対象書類名】明細書
【補正対象項目名】００３２
【補正方法】変更
【補正の内容】
【００３２】
また、請求項２記載の基地局装置は、請求項１記載の基地局装置において、前記割当手段は、１タイムスロットおきに共通制御チャネルを割り当てる構成とした。
【手続補正１９】
【補正対象書類名】明細書
【補正対象項目名】００３４
【補正方法】変更
【補正の内容】
【００３４】
また、請求項３記載の移動局装置は、上り回線および下り回線がそれぞれ割り当てられた複数のタイムスロットからなる通信フレームを用いるＣＤＭＡ／ＴＤＤ移動体通信システムにおける移動局装置であって、あらかじめ定められたパターンで周期的に配置される固定下り回線タイムスロットの同期用制御チャネル信号を含む信号を受信する受信手段と、受信信号のサンプリングタイミングごとに前記同期用制御チャネル信号の相関検出を行う相関検出手段と、前記固定下り回線タイムスロットが配置される間隔の時間長を積分周期として前記サンプリングタイミングごとの相関検出結果を積分する積分手段と、前記積分周期において、前記相関検出結果の積分値が最も大きいサンプリングタイミングに前記同期用制御チャネル信号が含まれていると判定して同期を確立する同期手段と、を有する構成とした。
【手続補正２０】
【補正対象書類名】明細書
【補正対象項目名】００３６
【補正方法】削除
【補正の内容】
【手続補正２１】
【補正対象書類名】明細書
【補正対象項目名】００３７
【補正方法】削除
【補正の内容】
【手続補正２２】
【補正対象書類名】明細書
【補正対象項目名】００３８
【補正方法】変更
【補正の内容】
【００３８】
また、請求項４記載の移動局装置は、上り回線および下り回線がそれぞれ割り当てられた複数のタイムスロットからなる通信フレームを用いるＣＤＭＡ／ＴＤＤ移動体通信システムにおける移動局装置であって、あらかじめ定められたパターンで周期的に配置される固定下り回線タイムスロットの同期用制御チャネル信号を含む信号を受信する受信手段と、前記同期用制御チャネル信号を用いて受信品質を測定する測定手段と、測定された受信品質に応じて上り回線スロットの送信電力制御を行う制御手段と、を有する構成とした。
また、請求項５記載の移動局装置は、請求項４記載の移動局装置において、前記制御手段は、前記固定下り回線タイムスロットと前記上り回線スロットとの間隔に応じて前記固定下り回線タイムスロットの同期用制御チャネル信号の受信品質に重み付けを行い、重み付け後の受信品質に応じて前記上り回線スロットの送信電力制御を行う構成とした。
【手続補正２３】
【補正対象書類名】明細書
【補正対象項目名】００４０
【補正方法】変更
【補正の内容】
【００４０】
また、請求項６記載の移動局装置は、請求項４記載の移動局装置において、前記測定手段は、前記同期用制御チャネル信号と自装置に対して割り当てられた下り回線タイムスロットのユーザ情報チャネル信号とを用いて受信品質を測定する構成とした。
【手続補正２４】
【補正対象書類名】明細書
【補正対象項目名】００４２
【補正方法】変更
【補正の内容】
【００４２】
また、請求項７記載の移動局装置は、請求項４記載の移動局装置において、前記測定手段は、前記同期用制御チャネル信号と自装置に対して割り当てられた下り回線タイムスロットのユーザ情報チャネル信号とを切り替え、いずれか一方の信号を用いて受信品質を測定する構成とした。
【手続補正２５】
【補正対象書類名】明細書
【補正対象項目名】００４４
【補正方法】変更
【補正の内容】
【００４４】
また、請求項９記載の通信方法は、上り回線および下り回線がそれぞれ割り当てられた複数のタイムスロットからなる通信フレームを用いるＣＤＭＡ／ＴＤＤ移動体通信システムにおける通信方法であって、前記複数のタイムスロットのうちあらかじめ定められたパターンで周期的に配置される固定位置のタイムスロットに、同期用制御チャネルを含む下り回線の共通制御チャネルを割り当てるステップと、前記固定位置のタイムスロット以外のタイムスロットに、上下回線の総情報量の比に応じて上り回線のユーザ情報チャネルおよび下り回線のユーザ情報チャネルを割り当てるステップと、を有するようにした。
【手続補正２６】
【補正対象書類名】明細書
【補正対象項目名】００４６
【補正方法】削除
【補正の内容】
【手続補正２７】
【補正対象書類名】明細書
【補正対象項目名】００４７
【補正方法】削除
【補正の内容】
【手続補正２８】
【補正対象書類名】明細書
【補正対象項目名】００４８
【補正方法】変更
【補正の内容】
【００４８】
また、請求項１０記載の通信方法は、上り回線および下り回線がそれぞれ割り当てられた複数のタイムスロットからなる通信フレームを用いるＣＤＭＡ／ＴＤＤ移動体通信システムにおける通信方法であって、あらかじめ定められたパターンで周期的に配置される固定下り回線タイムスロットの同期用制御チャネル信号を含む信号を受信するステップと、受信信号のサンプリングタイミングごとに前記同期用制御チャネル信号の相関検出を行うステップと、前記固定下り回線タイムスロットが配置される間隔の時間長を積分周期として前記サンプリングタイミングごとの相関検出結果を積分するステップと、前記積分周期において、前記相関検出結果の積分値が最も大きいサンプリングタイミングに前記同期用制御チャネル信号が含まれていると判定して同期を確立するステップと、を有するようにした。
【手続補正２９】
【補正対象書類名】明細書
【補正対象項目名】００５０
【補正方法】削除
【補正の内容】
【手続補正３０】
【補正対象書類名】明細書
【補正対象項目名】００５１
【補正方法】削除
【補正の内容】
【手続補正３１】
【補正対象書類名】明細書
【補正対象項目名】００５２
【補正方法】変更
【補正の内容】
【００５２】
また、請求項１１記載の通信方法は、上り回線および下り回線がそれぞれ割り当てられた複数のタイムスロットからなる通信フレームを用いるＣＤＭＡ／ＴＤＤ移動体通信システムにおける通信方法であって、あらかじめ定められたパターンで周期的に配置される固定下り回線タイムスロットの同期用制御チャネル信号を含む信号を受信するステップと、前記同期用制御チャネル信号を用いて受信品質を測定するステップと、測定された受信品質に応じて上り回線スロットの送信電力制御を行うステップと、を有するようにした。
【手続補正３２】
【補正対象書類名】明細書
【補正対象項目名】００５３
【補正方法】削除
【補正の内容】
【手続補正３３】
【補正対象書類名】明細書
【補正対象項目名】００５４
【補正方法】削除
【補正の内容】
【手続補正３４】
【補正対象書類名】明細書
【補正対象項目名】００５５
【補正方法】削除
【補正の内容】
【手続補正３５】
【補正対象書類名】明細書
【補正対象項目名】００５６
【補正方法】削除
【補正の内容】
【手続補正３６】
【補正対象書類名】明細書
【補正対象項目名】００５７
【補正方法】削除
【補正の内容】
【手続補正３７】
【補正対象書類名】明細書
【補正対象項目名】００６２
【補正方法】変更
【補正の内容】
【００６２】
多重手段１０９は、その拡散によって得られる各チャネルの拡散信号１３７，１３８，１３９を多重するものであり、Ｄ／Ａ変換手段１１０は、その多重信号１４０をアナログ信号１４１に変換するものであり、送信周波数変換手段１１１は、アナログ信号１４１を無線周波数の送信信号１４２に変換するものである。
【手続補正３８】
【補正対象書類名】明細書
【補正対象項目名】００６４
【補正方法】変更
【補正の内容】
【００６４】
受信周波数変換手段１１２は、送受信アンテナ１２３で受信され、送受信切り替え手段１２４を介して送られてきた無線周波数の受信信号１４３をベースバンド周波数の信号１４４に変換するものである。
【手続補正３９】
【補正対象書類名】明細書
【補正対象項目名】００６９
【補正方法】変更
【補正の内容】
【００６９】
多重手段１０９においては、各拡散信号１３７〜１３９が制御手段１２５の指示に応じてタイムスロットに配置されて時間多重される。この際、同一のタイムスロットに配置されたチャネルが加算多重される。但し、加算多重処理が行われる場合、それぞれのチャネルの拡散信号１３７〜１３９毎に振幅を制御する送信電力制御がなされるようにしてもよい。
【手続補正４０】
【補正対象書類名】明細書
【補正対象項目名】０１０５
【補正方法】変更
【補正の内容】
【０１０５】
(ｃ)は、１４個のタイムスロットを下り回線タイムスロット、２個のタイムスロットを上り回線タイムスロットとした場合の例であり、タイムスロット０、２、４、６、８、１０、１２、１４を、同期用制御チャネルを含む下り回線共通制御チャネルを伝送する下り回線タイムスロットとし、更にタイムスロット１、３、５、９、１１、１３を、下り回線タイムスロットとしている。それ以外のタイムスロット７、１５を、上り回線タイムスロットとしている。
【手続補正４１】
【補正対象書類名】明細書
【補正対象項目名】０１３１
【補正方法】変更
【補正の内容】
【０１３１】
受信周波数変換手段４０６においては、受信信号４２７がベースバンド周波数に変換され、Ａ／Ｄ変換手段４０７へ出力される。Ａ／Ｄ変換手段４０７においては、その変換されたアナログ信号４２８がディジタル信号４２９に変換され、分配手段４０８へ出力される。
【手続補正４２】
【補正対象書類名】明細書
【補正対象項目名】０１３４
【補正方法】変更
【補正の内容】
【０１３４】
各復号手段４１２，４１３においては、相関値４３２，４３３に応じて下り回線共通制御チャネル信号４３４，４３５の復号が行われる。このとき、基地局１００で下り回線の誤り訂正符号化を行うのであれば、デインターリーブ処理を施して、誤り訂正復号する構成とする。また、相関検出手段４０９、４１０、復号手段４１２、４１３などは、各チャネル毎に設けなくても、時分割によって共通のものを使用してもよい。